(57)【要約】      （修正有）【課題】軽量でありかつ変形の抑制されたカードホルダを提供する。【解決手段】カードを収容可能でありかつ起立可能な樹脂製のカードホルダ１を、窓部と窓部を取り囲む額縁状の縁部とを持つホルダ部と、この窓部を通じて縁部に架け渡されているガイド部３と、縁部および／またはガイド部３と一体に成形され窓部に収容される第１位置と少なくとも一部が窓部の外側に突出する第２位置との間を揺動可能である一対の脚部４と、で構成し、縁部投影面積、ガイド部投影面積、および脚部投影面積の和が、窓部の開口面積以下となるようにする。【選択図】図３
0003163265.tif 000002
【実用新案登録請求の範囲】
【請求項１】
カードを収容可能でありかつ起立可能な樹脂製のカードホルダであって、
窓部と、該窓部をとり囲む額縁状をなす縁部と、該縁部の一部と一体に成形され該縁部の厚さ方向に突出しているストッパ部と、を持つホルダ部と、
該縁部と一体に成形され、該窓部を通じて該縁部に架け渡されているガイド部と、
該縁部および／または該ガイド部と一体に成形され、該窓部に収容される第１位置と、少なくとも一部が該窓部の外側に突出する第２位置と、の間を揺動可能である一対の脚部と、を持ち、
該縁部は、該起立時において該窓部の上方に配置される上縁部と、該起立時において該窓部の下方に配置される下縁部と、該起立時において該窓部の両側方にそれぞれ配置される２つの側縁部と、を持ち、
該ストッパ部は、該上縁部以外の該縁部と一体であり、
該ガイド部は、該上縁部および該下縁部と一体であり、
一対の該脚部は、該第２位置において、該下縁部とともに該カードホルダを起立状態に支持可能であり、
該縁部を該窓部の開口端面に対して垂直方向に投影した縁部投影面積と、該ガイド部を該垂直方向に投影したガイド部投影面積と、該第１状態における一対の該脚部を該垂直方向に投影した脚部投影面積と、の和は、該窓部の開口面積以下であることを特徴とするカードホルダ。
【請求項２】
前記第２位置において、一方の前記脚部は他方の前記脚部と係合可能である請求項１に記載のカードホルダ。
【請求項３】
前記脚部は、前記ガイド部と一体である請求項１または請求項２に記載のカードホルダ。
【考案の詳細な説明】
【技術分野】
【０００１】
本考案は、カレンダーや写真等のカード類を収容可能なカードホルダに関する。
【背景技術】
【０００２】
カレンダーや写真等のカード類を収容するためのカードホルダとして、ポリプロピレンやアクリル樹脂等の樹脂を材料としたものが知られている。樹脂製のカードホルダは、軽量でありかつ安価に製造できる利点がある。しかし近年では、例えばノベルティーなどの用途に供するために、さらに軽量化されたカードホルダが望まれている。肉厚を小さくするとカードホルダを軽量化できる。しかしこの場合には、カードホルダに反りや歪み等の変形が生じ易くなり、意匠性に優れたカードホルダを得難い問題があった。
【考案の概要】
【考案が解決しようとする課題】
【０００３】
本考案は上記事情に鑑みてなされたものであり、軽量でありかつ意匠性に優れるカードホルダを提供することを目的とする。
【課題を解決するための手段】
【０００４】
上記課題を解決する本考案のカードホルダは、カードを収容可能でありかつ起立可能な樹脂製のカードホルダであって、
窓部と、該窓部をとり囲む額縁状をなす縁部と、該縁部の一部と一体に成形され該縁部の厚さ方向に突出しているストッパ部と、を持つホルダ部と、
該縁部と一体に成形され、該窓部を通じて該縁部に架け渡されているガイド部と、
該縁部および／または該ガイド部と一体に成形され、該窓部に収容される第１位置と、少なくとも一部が該窓部の外側に突出する第２位置と、の間を揺動可能である一対の脚部と、を持ち、
該縁部は、該起立時において該窓部の上方に配置される上縁部と、該起立時において該窓部の下方に配置される下縁部と、該起立時において該窓部の両側方にそれぞれ配置される２つの側縁部と、を持ち、
該ストッパ部は、該上縁部以外の該縁部と一体であり、
該ガイド部は、該上縁部および該下縁部と一体であり、
一対の該脚部は、該第２位置において、該下縁部とともに該カードホルダを起立状態に支持可能であり、
該縁部を該窓部の開口端面に対して垂直方向に投影した縁部投影面積と、該ガイド部を該垂直方向に投影したガイド部投影面積と、該第１状態における一対の該脚部を該垂直方向に投影した脚部投影面積と、の和は、該窓部の開口面積以下であることを特徴とする。
【０００５】
本考案のカードホルダは、下記の（１）、（２）の少なくとも一方を備えるのが好ましい。
（１）前記第２位置において、一方の前記脚部は他方の前記脚部と係合可能である。
（２）前記脚部は、前記ガイド部と一体である。
【考案の効果】
【０００６】
本考案の考案者は、鋭意研究の結果、薄肉のカードホルダの反りや歪みが成形時（詳しくは離型時）に生じることを見いだした。すなわち、カードホルダを成形型から離型する際には、一般に、成形型に配設されているエジェクタピンによって、成形型の型面に凝着しているカードホルダを成形型から離れる方向に押圧する。このときカードホルダには、エジェクタピンによる押圧力と、型面との凝着力と、の２種の外力が作用する。この２つの外力は互いに交差する方向に作用する。また、エジェクタピンは、カードホルダを部分的に押圧するだけであるため、カードホルダの一部はエジェクタピンによる外力を強く受け、他の一部は型面との凝着による外力を強く受ける。薄肉のカードホルダは剛性に劣るため、このとき形状を維持できず、塑性変形する場合がある。換言すると、カードホルダは、離型時に歪み・反り方向に賦形されるため、薄肉のカードホルダは歪み変形・反り変形し易い。
【０００７】
本考案のカードホルダでは、カードホルダのホルダ部に窓部を設け、かつ離型時において成形型の型面に凝着する可能性のある部分（縁部、ガイド部および脚部）の投影面積の合計を窓部の開口面積以下にしたことで、成形型の型面に対するカードホルダの接触面積を低減できる。このため、カードホルダと型面との凝着力を低減でき、離型時におけるカードホルダの変形を抑制できる。また、ホルダ部は窓部を持ち肉抜きされた形状をなすために、軽量である。よって、本考案のカードホルダは軽量であり、かつ、意匠性に優れる。
【考案を実施するための最良の形態】
【０００８】
ホルダ部は窓部と縁部とストッパ部とを持つ。縁部は窓部を取り囲む額縁状をなすため、窓部はホルダ部に貫通形成されている。したがって窓部は２つの開口端面を持つ。２つの開口端面の面積は、同じであっても良いし異なっていても良い。この開口端面の面積は、窓部の開口面積に相当する。なお、本考案において、２つの開口端面の面積が異なる場合には、大きな方の開口端面の面積を窓部の開口面積とみなす。
【０００９】
ホルダ部の形状は特に限定しないが、成形性および起立時の安定性を考慮すると、矩形の板状であるのが好ましい。なお、ホルダ部が矩形の板状である場合、窓部は矩形であるのが好ましく、窓部を取り囲む上縁部、下縁部、および２つの側縁部は、それぞれ短冊状であるのが好ましい。
【００１０】
ストッパ部は、縁部の一部と一体に成形され、縁部の厚さ方向に突出している。このためストッパ部は縁部よりも一段高く突出している。本考案のカードホルダにおいて、縁部はカードの裏面を支持し、ストッパ部はカードの端部を支持することでホルダ部からのカードの脱落を防止または抑制する。縁部とストッパ部とがカードを支持することで、ホルダ部はカードを収容可能である。なお、ストッパ部は、上縁部以外の縁部と一体であるため、ストッパ部は上縁部には配置されていない。このため上縁部は、カードをホルダ部に収容する際の差し込み口となる。
【００１１】
ガイド部は、上縁部および下縁部に一体成形されることで、窓部を通じて縁部に架け渡されている。ガイド部は、縁部を補強しホルダ部の形状を維持し、かつ、カードをホルダ部に収容する際にカードを案内するための部分である。ガイド部の形状は特に限定しないが、カードホルダを軽量化するためには、部分的に肉抜きされているか、または、先端が分岐していることが好ましい。上述したように、上縁部はカードの差し込み口となる。窓部のなかで差し込み口の近傍に位置する部分（上窓部と呼ぶ）には、カードの端部が落ち込む可能性があり、カードをホルダ部に差し込む作業が繁雑になる場合がある。ガイド部における上縁部側の部分（以下、上ガイド部と呼ぶ）が分岐している場合には、上ガイド部が上窓部を幅方向（２つの側縁部が配列する方向）に小さく区画できる。このため、カード端部の窓部への落ち込みを、ガイド部によって信頼性高く抑制できる。従ってこの場合には、カードをホルダ部に差し込み易くなる利点がある。
【００１２】
本考案のカードホルダは、一対の脚部を持つ。換言すると、本考案のカードホルダは、対をなす２つの脚部を持つ。各々の脚部は、第１位置と第２位置との間を揺動可能である。なお、カードホルダの成形時においては、脚部は第１位置に配置されている。
【００１３】
本考案のカードホルダは、一対の脚部を持てば良く、３以上の脚部を持っても良いし、２対以上の脚部を持っても良い。一対の脚部は、第２位置において本考案のカードホルダを起立状態で支持可能であれば良く、カードホルダの何れかの部分に固定可能であっても良いし、固定可能でなくても良い。カードホルダを安定して支持するためには、脚部は、カードホルダの何れかの部分に固定可能であるのが好ましい。また、一対の脚部は、互いに独立していても良いし、例えば係合する等して第２位置において一体化されても良い。第２位置において一対の脚部が互いに係合する場合には、一対の脚部を簡単な形状にでき、かつ、一対の脚部を互いに安定して第２状態に保持できる利点がある。
【００１４】
上述したように、カードホルダの成形時において、各脚部およびガイド部は窓部の内部に配置されている。このため、成形時における窓部の実質的な開口面積は、ガイド部および脚部が占有する面積分だけ、実際の開口面積よりも小さくなる。以下、この窓部の実質的な開口面積を、真の開口面積と呼ぶ。上述したように、真の開口面積が大きければ成形時におけるホルダ部の変形を抑制でき、カードホルダの意匠性を向上させることができる。また、真の開口面積が大きくすることでカードホルダを軽量化できる利点もある。
【００１５】
本考案のカードホルダにおいては、縁部投影面積とガイド部投影面積と脚部投影面積との和を、窓部の開口面積以下にしたことで、真の開口面積を充分に大きくし、カードホルダの意匠性向上と軽量化とを実現している。縁部投影面積とは、縁部を窓部の開口端面に対して垂直方向に投影した投影面積である。ガイド部投影面積とは、ガイド部を窓部の開口端面に対して垂直方向に投影した投影面積であり、窓部の開口面積のうちガイド部が占有する面積である。脚部投影面積とは、第１状態における一対の脚部を窓部の開口端面に対して垂直方向に投影した投影面積であり、窓部の開口面積のうち成形時に脚部が占有する面積である。なお、脚部投影面積は、各々の脚部の投影面積の和に相当する。縁部投影面積、ガイド部投影面積および脚部投影面積の和は、窓部の開口面積以下であればよいが、上述した意匠性向上と軽量化とを考慮すると、窓部の開口面積の８０％以下であるのが好ましく、７０％以下であるのがより好ましい。なお、カードホルダの強度を考慮すると、ガイド部投影面積と脚部投影面積との和は大きい方が好ましい。このため、カードホルダの意匠性向上および軽量化に加え、カードホルダの強度を考慮すると、縁部投影面積、ガイド部投影面積および脚部投影面積の和は、窓部の開口面積の８０％〜５０％であるのが好ましく、７０％〜６０％であるのがより好ましい。
【図面の簡単な説明】
【００１６】
【図１】実施例１のカードホルダを模式的に表す斜視図である。
【図２】実施例１のカードホルダにカレンダーを収容している様子を模式的に表す斜視図である。
【図３】実施例１のカードホルダを前側から見た様子を模式的に表す正面図である。
【図４】実施例１のカードホルダを後側から見た様子を模式的に表す背面図である。
【図５】実施例１のカードホルダにおける縁部投影面積、ガイド部投影面積、脚部投影面積および窓部の開口面積を模式的に表す説明図である。
【図６】実施例２のカードホルダを前側から見た様子を模式的に表す正面図である。
【実施例】
【００１７】
以下、本考案のカードホルダを例を挙げて説明する。
【００１８】
（実施例１）
実施例１のカードホルダは、複数枚のカレンダーを収容するためのホルダである。実施例１のカードホルダを模式的に表す斜視図を図１に示す。実施例１のカードホルダにカレンダーを収容している様子を模式的に表す斜視図を図２に示す。実施例１のカードホルダを前側から見た様子を模式的に表す正面図を図３に示す。実施例１のカードホルダを後側から見た様子を模式的に表す背面図を図４に示す。実施例１のカードホルダにおける縁部投影面積、ガイド部投影面積、脚部投影面積および窓部の開口面積を模式的に表す説明図を図５に示す。以下、本明細書において上、下、左、右、前、後とは、図１に示す上、下、左、右、前、後を指す。また、必要に応じて、上下方向を高さ方向と呼び、左右方向を幅方向と呼び、前後方向を肉厚方向と呼ぶ。
【００１９】
実施例１のカードホルダ１は、ホルダ部２と、ガイド部３と、一対の脚部４と、を持つ。実施例１のカードホルダ１は、ポリプロピレンを材料とし、射出成形されてなる。
【００２０】
ホルダ部２は、窓部６、縁部７、３つのストッパ部８、および、２つの副ストッパ部５を持つ。窓部６は略矩形の貫通穴状をなし、縁部７は窓部６を取り囲む略矩形の額縁状をなす。
【００２１】
窓部６はホルダ部２の肉厚方向（図１中前後方向）に延び、ホルダ部２の前面と後面とに開口している。ホルダ部２の後面側における窓部６の開口面積は、ホルダ部２の前面側における窓部６の開口面積に比べて僅かに大きい。縁部７は、窓部６の上方に位置する上縁部７１、窓部６の下方に位置する下縁部７２、窓部６の左側方に位置する第１側縁部７３、および、窓部６の右側方に位置する第２側縁部７４を持つ。上縁部７１、下縁部７２、第１側縁部７３および第２側縁部７４はそれぞれ略短冊状をなす。上縁部７１と下縁部７２とは略平行であり、第１側縁部７３と第２側縁部７４とは略平行である。第１側縁部７３および第２側縁部７４は、上縁部７１および下縁部７２と略直交している。図２に示すように、ホルダ部２は、縁部７の前面によってカレンダ（カード９）の後面を支持する。
【００２２】
ストッパ部８は、下縁部７２、第１側縁部７３および第２側縁部７４にそれぞれ一体に成形されている。各ストッパ部８は、ストッパ基部８０と、ストッパ端部８１とを持つ。ストッパ基部８０は、対応する縁部７に連続している。ストッパ端部８１は、ストッパ基部８０の突出端部に連続し、ストッパ基部８０と交差する方向に配置されている。実施例１のカードホルダ１において、縁部７のなかでストッパ端部８１に対面する部分には、窓状をなす型抜き部７０が形成されている。
【００２３】
２つの副ストッパ部５は、上縁部７１の上端に一体に成形されている。副ストッパ部５は、ホルダ部２の肉厚方向に突出する立壁状をなす。副ストッパ部５の突出高さはストッパ部８の突出高さの１／２程度である。
【００２４】
ガイド部３は、略短冊状をなし、窓部６を通じて上縁部７１と下縁部７２との間に架け渡されている。ガイド部３における上縁部７１側の部分（上ガイド部３０）は上縁部７１に一体化され、ガイド部３における下縁部７２側の部分（下ガイド部３１）は下縁部７２に一体化されている。上ガイド部３０は二股に分岐している。このため、上ガイド部３０は下ガイド部３１に比べて幅広である。上ガイド部３０は、上窓部６を幅方向（左右方向）に略三等分に区画している。
【００２５】
下ガイド部３１の幅方向の２端面（左右端面）には、それぞれ、脚部４が一つずつ一体成形されている。下ガイド部３１の左端面に一体化されている脚部４を第１脚部４０と呼ぶ。下ガイド部３１の右端面に一体化されている脚部４を第２脚部４１と呼ぶ。第１脚部４０の基部４２は第１脚部４０の他の部分に比べて薄肉である。第１脚部４０の端部は鉤状をなす。この鉤状の部分を第１係合部４３と呼ぶ。第２脚部４１の基部４４は第２脚部４１の他の部分に比べて薄肉である。第２脚部４１の端部は第１係合部４３と上下・左右対称な鉤状をなす。この鉤状の部分を第２係合部４５と呼ぶ。第１脚部４０および第２脚部４１は、それぞれ、基部４２、４４を中心として、図３、４に示す第１位置と図１に示す第２位置との間を揺動可能である。図１に示すように、第１脚部４０および第２脚部４１が第２位置にまで揺動すると、第１係合部４３と第２係合部４５とは互いに対面し、係合可能になる。第１係合部４３および第２係合部４５が係合すると、第１脚部４０および第２係合部４５が第２位置に固定される。そしてこのとき、第１脚部４０および第２脚部４１は、下縁部７２とともにカードホルダ１を図１、２に示す起立状態に支持可能である。第１脚部４０および第２脚部４１の略中央部分は、貫通穴状に肉抜きされている。
【００２６】
成形時において、第１脚部４０および第２脚部４１は図３、４に示す第１状態に配置される。このときの縁部投影面積（図５〔ｂ〕中斜線で示す領域）と、ガイド部投影面積（図５〔ｃ〕中斜線で示す領域）と、脚部投影面積（図５〔ｄ〕中斜線で示す領域）と、の和は、窓部６の開口面積（図５〔ａ〕中斜線で示す領域）の約６５％である。このため、実施例１のカードホルダ１は離型し易く、離型時の変形が抑制される。また、ホルダ部２が窓部６を持ち中空であるため、軽量である。
【００２７】
実施例１のカードホルダ１を成形する成形型（図略）は、２つに分割されている。一方の成形型を第１型と呼び、他方の成形型を第２型と呼ぶ。第１型は主としてカードホルダ１の前面を成形するための成形型である。第２型は主としてカードホルダ１の後面を成形するための成形型である。ストッパ基部８０のなかで窓部６側に位置する面（内面）、および、ストッパ端部８１の前面は、第１型によって成形でき、第１型はカードホルダ１の前側に向けて型開き可能である。
【００２８】
また、上述したように、縁部７のなかでストッパ端部８１に対面する部分には、窓状をなす型抜き部７０が形成されている。このため、ストッパ基部８０のなかで窓部６の逆側に位置する面（外面）、および、ストッパ端部８１の後面は、第２型によって成形でき、第２型はカードホルダ１の後側に向けて型開き可能である。よって、実施例１のカードホルダ１は、ストッパ基部８０とストッパ端部８１とを持つ断面略Ｌ字状のストッパ部８を持つにもかかわらず、スライドコアのない安価な成形型で成形できる。よって、実施例１のカードホルダ１は安価に製造できる。
【００２９】
なお、断面略Ｌ字状をなすストッパ部８は、カード９を安定して支持できるだけでなく、強度にも優れる。このため実施例１のカードホルダ１によると、縁部７をストッパ部８によって補強でき、窓部６の開口面積を比較的大きくしてもカードホルダ１の使用時における変形を抑制できる利点もある。
【００３０】
実施例１のカードホルダ１は３つのストッパ部８を持つが、本考案のカードホルダ１においてストッパ部８の個数および形状は特に限定されない。例えばストッパ部８は、第１側縁部７３と第２側縁部７４との何れか一方と、下縁部７２とにそれぞれ一体化されていても良いし、下縁部７２のみに一体化されていても良い。また、実施例１のカードホルダ１は副ストッパ部５を持つが、本考案のカードホルダ１は副ストッパ部５を持たなくても良い。
【００３１】
実施例１のカードホルダ１は、副ストッパ部５を持つことで、カード９の上端面を支持してカード９を安定して収容できる利点がある。また、実施例１のカードホルダ１は、副ストッパ部５を持つことによって、窓部６の開口端部を上下方向に向けつつ複数のカードホルダ１を重ね置きしたときにも、カードホルダ１が上縁部７１側に傾き難い。このため、実施例１のカードホルダ１は、輸送、ストックおよび取り扱いが容易である。なお、副ストッパ部５の突出高さはストッパ部８の突出高さよりも小さいため、副ストッパ部５はホルダへのカード９の差し込み作業には殆ど干渉しない。
【００３２】
（実施例２）
実施例２のカードホルダは、各脚部の形状、および、各脚部が縁部に一体化されていること以外は実施例１のカードホルダとほぼ同じものである。実施例２のカードホルダを模式的に表す背面図を図６に示す。
【００３３】
実施例２のカードホルダ１における一対の脚部４は、図６に示すように、それぞれ下縁部７２に一体化されている。下縁部７２のなかでガイド部３よりも左側の部分（左下縁部７２）の上下方向の長さは、右側から左側に向けて徐々に短くなっている。したがって、左下縁部７２の上端面は、右上側から左下側に向けて傾斜している。また、下縁部７２のなかでガイド部３よりも右側の部分（右下縁部７２）の上下方向の長さは、左側から右側に向けて徐々に短くなっている。したがって、右下縁部７２の上端面は、左上側から右下側に向けて傾斜している。第１脚部４０は左下縁部７２の上端面に一体化され、第２脚部４１は右下縁部７２の上端面に一体化されている。第１位置において、第１脚部４０の右側面は上下方向に直状に延び、第１脚部４０の左側面は右上側から左下側に向けて傾斜している。また、第１位置において、第２脚部４１の左側面は上下方向に直状に延び、第２脚部４１の右側面は左上側から右下側に向けて傾斜している。第１脚部４０の基部４２は第１脚部４０の他の部分に比べて薄肉であり、第１脚部４０の端部（第１係合部４３）は鉤状をなしている。第２脚部４１の基部４４は第２脚部４１の他の部分に比べて薄肉であり、第２脚部４１の端部（第２係合部４５）は第１係合部４３と上下・左右対称な鉤状をなす。第１脚部４０および第２脚部４１は、それぞれ、薄肉の部分を中心として、図６に示す第１位置と図略の第２位置との間を揺動可能である。第１脚部４０および第２脚部４１が第２位置にまで揺動すると、第１係合部４３と第２係合部４５とは互いに対面して係合可能になり、第１係合部４３および第２係合部４５が係合すると第１脚部４０および第２係合部４５が第２位置に固定される。そしてこのとき、第１脚部４０および第２脚部４１は、下縁部７２とともにカードホルダ１を図略の起立状態に支持可能である。
【００３４】
実施例２のカードホルダ１において、成形時における縁部投影面積、脚部投影面積、およびガイド部投影面積の和は、窓部６の開口面積以下である。このため、実施例２のカードホルダ１もまた、離型時の変形が抑制され、軽量である。
【産業上の利用可能性】
【００３５】
本考案のカードホルダは、カレンダー、写真、スケジュール等を１枚または複数枚収容保持するためのカードホルダとして利用できる。
【符号の説明】
【００３６】
１：カードホルダ    ２：ホルダ部          ３：ガイド部
４：脚部            ５：副ストッパ部      ６：窓部
７：縁部            ８：ストッパ部        ９：カード
４０：第１脚部      ４１：第２脚部        ７１：上縁部
７２：下縁部        ７３：第１側縁部      ７４：第２側縁部
【図３】
0003163265.tif 000003
【図４】
0003163265.tif 000004
【図５】
0003163265.tif 000005
【図６】
0003163265.tif 000006
【図１】
0003163265.tif 000007
【図２】
0003163265.tif 000008